(57)【特許請求の範囲】
【請求項１】
下側空間への開口部に固定配置される平面視方形の固定枠と、該固定枠内で所定の軸受により軸支された軸部材を中心に回動させることで開閉動作を行う平面視方形の蓋本体とを備え、通常時は前記開口部を閉鎖し所定の場合に前記蓋本体を開いて前記開口部を露出させるものとした開閉蓋において、
前記軸部材は、平面視方形をなす前記蓋本体の４辺のうち１対の平行な辺の中間部を直角に通る線を軸線とするように前記両辺を構成する側面から各々突設され、前記軸部材の両端側が、前記固定枠側の対応位置で幅方向中央部から少なくとも一方の端部側まで横長に形成した溝又は切り欠きからなる対の軸受に挿通した状態で配設されており、前記蓋本体で前記軸線が通らない対の辺側の底面所定範囲が前記固定枠側に所定幅で形成した受け面で各々支持されることで閉鎖状態を維持し、前記軸部材を前記横長の軸受内で摺動させながら前記蓋本体をずれ動かすことで、前記支持された一方の辺側の底面が前記受け面から外れて前記軸部材を中心とした回動が可能な状態になり、回動した前記蓋本体を、その軸部材が前記軸受の端部側に位置するまで摺動させながらその上面又は底面が溝壁に密着又は近接した状態にすることで全開状態となる、ことを特徴とする開閉蓋。
【請求項２】
前記蓋本体の閉鎖状態では、前記軸線が通らない対の辺の一方を構成している前記蓋本体の側面と前記固定枠の内側面との間に、その反対側の前記受け面の幅以上の隙間が形成され、該隙間を狭めるように前記蓋本体を所定幅ずらすことで回動可能な状態になる、ことを特徴とする請求項１に記載した開閉蓋。
【請求項３】
前記隙間の殆どを埋める形状・サイズのスペーサーが、反対側の前記受け面よりも幅広に形成された前記受け面の上に載りながら着脱可能な状態で配設されており、前記蓋本体が閉鎖状態から不意にずれ動いて開くのを防止する、ことを特徴とする請求項２に記載した開閉蓋。
【請求項４】
前記軸受は、前記固定枠の幅方向中央部に相当する所定範囲が上方向に拡大されており、前記蓋本体の一方の端部側をその厚さ分持ち上げながら他方の端部側を前記受け面から外すようにずらす際の前記軸部材の上方向への移動を可能にする空間を備えている、ことを特徴とする請求項１，２または３に記載した開閉蓋。
【請求項５】
前記蓋本体の持ち上げる方の端部側には、閉鎖時に先端側が前記蓋本体上面から突出しない位置に傾倒しているとともに開く際には先端側を作業者が把持可能な状態に起立する持ち手部材が配設されており、その先端側を引き上げる動作により基端側が所定の支点を中心に回動してその下方の前記受け面を押すことにより、レバー動作で前記端部側を持ち上げて前記蓋本体と前記固定枠との間の固着状態を解除する、ことを特徴とする請求項１，２，３または４記載した開閉蓋。
【発明の詳細な説明】
【技術分野】
【０００１】
本発明は、水路や溝又は床板等の下側空間への開口部を開閉可能な状態で塞ぐための開閉蓋に関する。
【背景技術】
【０００２】
道路等に溜まった雪を流す排雪用の水路は一般に流雪溝と呼ばれるが、その雪を投入する開口部には、格子状のグレーチングを開閉可能に軸着してなる開閉蓋を設けるのが一般的である。この開閉蓋は、通常はグレーチングを閉鎖して人等が溝内に転落するのを防止しながら水の流入は可能とし、排雪時にはグレーチングを大きく開いて大量の雪を投入可能な状態にするものである。
【０００３】
しかし、斯かる流雪溝は、ある程度の水量を確保するために通常の排水路よりも幅広であるのが通常であり、その開閉蓋も通常のものと比べて大型であることから、グレーチングの開閉作業には大きな労力を要するという問題がある。そのため、グレーチングを２枚の観音開き式にして１枚あたりの重量を半分に軽減することも行われている。
【０００４】
しかし、道路脇の流雪溝において、開閉蓋が１枚式の場合は奥側に立てかけるように開くことで、ショベルカーを用いた排雪作業の際に邪魔になりにくいのに対し、前述の観音開き式の場合は、開閉作業は楽であるものの、左右に開いたグレーチングがショベルカーの動作範囲に干渉してその排雪作業の邪魔となりやすい。
【０００５】
そこで、実用新案登録第３１０５５６２号公報には、グレーチングの軸部に蓋を開方向に付勢するコイルバネを装着したものが提案されており、これにより１枚式の重いグレーチングであってもその開閉作業の負担を大きく軽減可能としている。しかしながら、この方式では、ある程度の起立状態で開いたグレーチングが不用意に倒れることがあり、安全確保の観点で問題があると言わざるを得ない。
【０００６】
これに対し、特開２００６−１１２２０４号公報には、開いたグレーチングを、受け枠（固定枠）に基端側を係着したアームの先端側で支持する方式が提案されており、排雪作業時にグレーチングが不用意に倒れることを回避可能としている。一方、この方式を含む上述した従来技術においても、蓋本体と固定枠の隙間に土や石が挟まったり隙間の水分が凍結したりして蓋本体が固着した場合に、これを開くのに多大な労力を要するという問題は解決されていない。
【先行技術文献】
【特許文献】
【０００７】
【特許文献１】実用新案登録第３１０５５６２号公報
【特許文献２】特開２００６−１１２２０４号公報
【発明の概要】
【発明が解決しようとする課題】
【０００８】
本発明は、上記のような問題を解決しようとするものであり、水路や溝又は床板等の下側空間への開口部を塞ぐ開閉蓋の開閉作業について、安全性を確保しながらその労力を軽減できるようにすることを課題とする。
【課題を解決するための手段】
【０００９】
そこで、本発明は、下側空間への開口部に固定配置される平面視方形の固定枠と、この固定枠内で所定の軸受により軸支された軸部材を中心に回動させることで開閉動作を行う平面視方形の蓋本体とを備え、通常時は前記開口部を閉鎖し所定の場合に前記蓋本体を開いて前記開口部を露出させるものとした開閉蓋において、前記軸部材は、平面視方形をなす蓋本体の４辺のうち１対の平行な辺の中間部を直角に通る線を軸線とするように前記両辺を構成する側面から各々突設され、その軸部材の両端側が、固定枠側の対応位置で幅方向中央部から少なくとも一方の端部側まで横長に形成した溝又は切り欠きからなる対の軸受に挿通した状態で配設されており、前記蓋本体で前記軸線が通らない対の辺側の底面所定範囲が前記固定枠側に所定幅で形成した受け面で各々支持されることで閉鎖状態を維持し、前記軸部材を前記横長の軸受内で摺動させながら蓋本体をずれ動かすことで、前記支持された一方の辺側の底面が前記受け面から外れて前記軸部材を中心とした回動が可能な状態になり、回動した蓋本体を、軸部材が軸受の端部側に位置するまで摺動させながらその上面又は底面が溝壁に密着又は近接した状態にすることで全開状態となる、ことを特徴とするものとした。
【００１０】
このように、開閉蓋の蓋本体の軸部材を端部側ではなく蓋本体を２分する中央部分に配置するとともに、固定枠側の軸受を中央部から端部側まで横長にしたことで、端部側を軸着した場合と比べて蓋本体を開閉する力が半分で済むものとなり、且つ、回動して開いた蓋本体を軸受内で摺動させて溝壁の近接位置まで移動させることで、排雪作業等の邪魔になることなく水路の開口部を大きく開くことができるとともに、蓋本体が不用意に倒れる心配のないものとなる。
【００１１】
また、この開閉蓋において、その蓋本体の閉鎖状態では、前記軸線が通らない対の辺の一方を構成している蓋本体の側面と固定枠の内側面との間に、その反対側の受け面の幅以上の隙間が形成され、その隙間を狭めるように蓋本体を所定幅ずらすことで回動可能な状態になることを特徴としたものとすれば、蓋本体を容易に開けるものとなる。
【００１２】
この場合、前記隙間の殆どを埋める形状・サイズのスペーサーが、反対側の受け面よりも幅広に形成された受け面の上に載りながら着脱可能な状態で配設されており、蓋本体が閉鎖状態から不意にずれ動いて開くのを防止することを特徴としたものとすれば、このスペーサーを隙間に配置するだけで閉鎖状態を確実に維持することができ、これを取り外すだけで蓋本体を容易に開ける状態となる。
【００１３】
さらに、上述した開閉蓋において、その軸受は、固定枠の幅方向中央部に相当する所定範囲が上方向に拡大されており、蓋本体の一方の端部側をその厚さ分持ち上げながら他方の端部側を受け面から外すようにずらす際の軸部材の上方向への移動を可能とする空間を備えている、ことを特徴としたものとすれば、蓋本体における反対側の端部を支持する受け面の幅と同程度の隙間がなくても容易に開けるものとなる。
【００１４】
さらにまた、上述した開閉蓋において、蓋本体の持ち上げる方の端部側には、閉鎖時に先端側が蓋本体上面から突出しない位置に傾倒しているとともに開く際には先端側を作業者が把持可能な状態に起立する持ち手部材が配設されており、その先端側を引き上げる動作により基端側が所定の支点を中心に回動してその下方の受け面を押すことにより、レバー動作で前記端部側を持ち上げて蓋本体と固定枠との間の固着状態を解除することを特徴としたものとすれば、蓋本体を開く最初の動作で蓋本体の固着がそのまま解除されるものとなる。
【発明の効果】
【００１５】
蓋本体を２分する中央部分に軸部材を配置するとともに固定枠側の軸受を中央部から端部側まで横長にした本発明によると、水路や溝又は床板等の下側空間への開口部を塞ぐ開閉蓋の開閉作業について、安全性を確保しながらその労力を軽減できるものである。
【図面の簡単な説明】
【００１６】
【図１】本発明における実施の形態の平面図である。
【図２】（１）は図１のＡ−Ａ線による断面図、（Ｂ）は（Ａ）の状態からスペーサーを外して蓋本体をずらした状態の断面図、（Ｃ）は（Ｂ）の状態から蓋本体を立てて溝壁側に移動させた状態の断面図である。
【図３】図１の開閉蓋の応用例を示す平面図である。
【図４】（Ａ）は図３のＡ−Ａ線による断面図の状態からスペーサーのレバーを持ち上げた状態の断面図、（Ｂ）は（Ａ）の状態からスペーサーを固着解除用のテコとして使用する際にセットした状態の断面図、（Ｃ）は（Ｂ）の状態からスペーサーで蓋本体端部側を持ち上げた状態の断面図である。
【図５】図１の開閉蓋の変形例を示す平面図である。
【図６】（Ａ）は図５のＡ−Ａ線による断面図、（Ｂ）は（Ａ）の状態から持ち手部材の先端側を持ち上げた状態の断面図、（Ｃ）は（Ｂ）の状態から持ち手を引き上げて蓋本体端部側を持ち上げた状態の断面図、（Ｄ）は（Ｃ）の状態から蓋本体を立てて溝壁側に移動させた状態の断面図である。
【図７】（Ａ）および（Ｂ）は軸受の応用例を示す断面図である。
【発明を実施するための形態】
【００１７】
以下に、図面を参照しながら本発明を実施するための形態を説明する。尚、本発明において、水路には流水路が接続した集水枡も含まれるものとする。
【００１８】
図１は、本実施の形態である開閉蓋１Ａを示している。この開閉蓋１Ａは、主として流雪溝等の水路の開口部に配設することを想定したものであって、水路の開口部に固定配置される平面視方形の固定枠２Ａと、固定枠２Ａ内で軸受２１ａ，２２ａにより軸支された軸部材３１ａ，３１ｂを中心に回動させることで開閉動作を行う平面視方形で格子状の蓋本体３Ａを備え、通常時は開口部を閉鎖し、排雪時等の所定の場合に蓋本体３Ａを開いて開口部を露出させるものである。
【００１９】
その軸部材３１ａ，３１ｂは、平面視方形の蓋本体３Ａの４辺のうち、１対の平行な辺の中間部を直角に通る線（ほぼ２等分線）を軸線にするように前記両辺を構成する側面から各々突設されてなり、その両端側が、固定枠２Ａにおける対応位置でその内側面との間に僅かな隙間を有して梁状に渡してなる軸受板２１，２２の長手方向中央部から一方の端部側まで横長に形成した切り欠きからなる対の軸受２１ａ，２２ａに挿通した状態で配設され、回動可能な状態で軸支されている。
【００２０】
そして、図２（Ａ）に示すように、蓋本体３Ａにおける前記軸線が中央部を通る対の辺に対し直角の位置になる対の辺側の底面が、固定枠２Ａに所定幅の段差状に形成した受け面２０ａ，２０ｂで各々支持されることで閉鎖状態を維持し、図（Ｂ）に示すように、軸部材３１ａ，３１ｂを横長の軸受２１ａ，２２ａ内で摺動させながら蓋本体３Ａをずれ動かすことで、一方の端部側底面が受け面２０ｂから外れて軸部材３１ａ，３１ｂを中心とした回動が可能な状態になり、回動して開いた蓋本体３Ａを、図（Ｃ）に示すように軸部材３１ａ，３１ｂが軸受２１ａ，２２ａ端部側（奥側）に位置するようにその上面を溝壁に密着又は近接させて略垂直の状態にすることで、開閉蓋１Ａが全開になることを特徴としている。
【００２１】
このように、蓋本体３Ａの端部側ではなくその２等分線付近に軸部材３１ａ，３１ｂを配設したことで開閉に要する力が半分で済むものとなり、また、軸部材３１ａ，３１ｂが横長の軸受２１ａ，２２ａ内で摺動する方式としたことで、蓋本体３Ａを受け面２０ｂから外れるようにずらすだけで回動可能となり、且つ、垂直に開きながら奥までずらすだけで開口部が全開になるため、排雪等の作業の邪魔にならない状態にて安定するものとなっている。
【００２２】
また、本実施の形態では、蓋本体３Ａの閉鎖状態において、軸線が通らない対の辺の一方を構成している蓋本体３Ａの側面と固定枠２Ａの内側面との間に、その反対側の辺側が支持されている受け面２０ｂの幅よりも僅かに幅広の隙間が形成されるようになっており、蓋本体３Ａを受け面２０ｂに載っている幅分だけ隙間方向にずれ動かすことで回動可能な状態となる。
【００２３】
さらに、その隙間を殆ど埋めるサイズの別部材とされた角柱状のスペーサー６Ａが、受け面２０ｂの約２倍の幅で形成された受け面２０ａの上に載りながら着脱可能な状態で配設されており、このスペーサー６Ａがあることで蓋本体３Ａがずれ動かなくなるため、閉鎖状態から不意に開いてしまう事態を回避できるようになっている。
【００２４】
尚、図においては左側が道路側であり、図中左側から開口部を介して雪を投入する方式となっており、その蓋本体３Ａを開く場合は、スペーサー６Ａを取り外した後、図２（Ｂ）に示すように道路側（左側）から持ち手部材３５を引き出してそのまま蓋本体３Ａを手前に引き寄せ、図２（Ｃ）に示すように持ち手部材３５をさらに持ち上げながら蓋本体３Ａを垂直にして、垂直のまま奥側の溝壁まで押して全開状態にする。
【００２５】
図３は、前述した開閉蓋１Ａの応用例としての開閉蓋１Ｂを示している。この例ではスペーサー６Ｂに隙間から取り外すのを容易にするためのレバー６２が設けられているとともに、このレバー６２を有したスペーサー６Ｂを用いながら、蓋本体３Ａの固定枠２Ｂへの固着を解除できるようになっている点を特徴としている。
【００２６】
このレバー６２は、図３において矢印で指す側面図に示すように軸６２ａとフック６２ｂを備えたものである。そして、図４（Ａ）に示すように、スペーサー６Ｂのレバー６２先端側を指で把持して持ち上げることにより、テコの原理でその基端側を受け面２０ｃに押圧しながらスペーサー６Ｂの先端側を持ち上げることができ、小さな力で容易にスペーサー６Ｂを取り外すことができる。
【００２７】
スペーサー６Ｂを取り外したら、図４（Ｂ）に示すように、その基端側の鋭角部を固定枠２Ｂに形成した掛け溝２０１に掛けるとともにレバー６２のフック６２ｂを持ち手部材３６に係合させる。その状態から、図（Ｃ）に示すようにスペーサー６Ｂを倒すことで、持ち手部材３６のある蓋本体３Ｂの端部側が持ち上がりながら引き寄せられるため、固着状態が解除される。尚、本実施の形態では、固着解除動作において蓋本体３Ｂが僅かに斜めの状態になるため、その分だけ軸部材３１ａ，３１ｂが上向きに動作できるように、軸受２３ａ，２４ａの対応位置が上向きに拡大されたものとなっている。
【００２８】
図５は、上述した開閉蓋１Ａの変形例としての開閉蓋１Ｃを示している。この例では、軸受板２５，２６に形成された軸受２５ａ，２５ｂが、図６に示すように固定枠中央部に相当する部分の所定範囲を上方向に拡大したものとなっており、蓋本体３Ｃの一方の端部側を厚さ分だけ持ち上げて他方の端部側を受け面２０ｆから外してずらす際の軸部材３２ａ，３２ｂｆの上方向への移動を可能にする空間を備えている。
【００２９】
また、蓋本体３Ｃの持ち上げる端部側には、閉鎖時に先端側が蓋本体３Ｃ上面から突出しない位置に傾倒しているとともに開く際には先端側を起立させて作業者が把持可能な状態になる持ち手部材３７が配設されており、その先端側を起立させる動作でその基端が軸３７ａを中心に回動してその下方の受け面２０ｅを押すものとされ、テコの原理で蓋本体３Ｃの端部側を持ち上げてと固定枠２Ｃとの間の固着状態を解除するようになっている。
【００３０】
図６を参照しながらさらに詳細に説明すると、図（Ａ）に破線で示すように、持ち手部材３７は軸３７ａで軸支されてレバー手段を構成しており、その基端側が受け面２０ｅに当接した状態で収まっている。そして、図（Ｂ）に示すように、持ち手部材３７の先端を把持して手前に引き寄せるように起立させることで、その基端側が受け面２０ｅを押しながら持ち手部材３７のある蓋本体３Ｃの端部側を持ち上げる。
【００３１】
その状態から持ち手部材３７を引き上げることで、図（Ｃ）に示すように持ち手部材３７のある端部側が固定枠２０Ｃの上に載るとともにその反対の端部側が受け面２０ｆから外れ、蓋本体３Ｃは回動可能な状態となる。そして、図（Ｄ）に示すように、垂直になった蓋本体３Ｃを、その上面が奥側の溝壁に近接する位置まで押して移動させることで開閉蓋３Ｃは全開状態となる。
【００３２】
この蓋本体３Ｃの持ち上げ動作において、その軸部材３２ａ，３２ｂは、持ち上がる端部側の半分の量だけ上向きに動作するものであるが、固定枠２０Ｃの幅方向中央部に相当する部分を上向きに拡大した形状としたことで、その動作が阻害されることを回避可能としている。また、蓋本体３Ｃの持ち上がる方の端部側の側面は下向きの傾斜面とされており、この傾斜の存在によりその側面が持ち上げ動作の途中で固定枠２０Ｃの内壁上端部に引っ掛からないようになっている。
【００３３】
尚、上述した説明においては、その横長の軸受が軸受板の中央部から一方の端部側に延設したものである場合を説明したが、図７（Ａ），（Ｂ）に示すように、両端側に延設したものとしても良く、これにより蓋本体をいずれの側にも開けられるようになる。また、その軸受は、固定枠の枠本体とは別部材の軸受板を切り欠いて形成したものに限定されず、溝としても実施可能であるとともに固定枠の枠本体に形成したものであっても良い。
【００３４】
さらに、上述の説明では蓋本体が格子状のグレーチングである場合を説明したが、コンクリートや金属からなる平板状のものであっても良く、また、本発明の開閉蓋を設ける開口部には、上述した流水路の開口部のほか、集水枡の開口部、或いはタワー等の構築物において床面に設けた下層階・下層空間への開口部など、下側空間に続く総ての開口部が含まれることは言うまでもない。
【００３５】
以上、述べたように、水路の開口部を塞ぐ開閉蓋の開閉作業について、本発明により、安全性を確保しながらその労力を大きく軽減できるようになった。
【符号の説明】
【００３６】
１Ａ，１Ｂ，１Ｃ  開閉蓋、２Ａ，２Ｂ，２Ｃ  固定枠、３Ａ，３Ｂ，３Ｃ  蓋本体、６Ａ，６Ｂ  スペーサー、２０ａ，２０ｂ，２０ｃ，２０ｄ，２０ｅ，２０ｆ  受け面、２１，２２，２３，２４，２５，２６  軸受板、２１ａ，２２ａ，２３ａ，２４ａ，２５ａ，２６ａ  軸受、３１ａ，３１ｂ，３２ａ，３２ｂ  軸部材、３５，３６，３７  持ち手部材、６２  レバー
【図１】
0006456765.tif 000002
【図２】
0006456765.tif 000003
【図３】
0006456765.tif 000004
【図４】
0006456765.tif 000005
【図５】
0006456765.tif 000006
【図６】
0006456765.tif 000007
【図７】
0006456765.tif 000008